(57)【要約】【課題】光源から出射された光の均一性を高めることが可能な遊技機の提供。【解決手段】光源２０と、前記光源２０の光軸方向前側に設けられた部材であって、複数の点状領域から構成される透光部３１（例えば、複数の点状領域３１１から構成される）および当該透光部３１に比して光の透過量が小さい遮光部３２を有する被覆部材３０と、を備え、前記光源２０の光軸方向に沿う平面視で、前記被覆部材３０の透光部３１は、前記光源２０から離れるにつれて大きくなるように形成されている遊技機１とする。【選択図】図３
2019058472.tif 000002
【特許請求の範囲】
【請求項１】
光源と、
前記光源の光軸方向前側に設けられた部材であって、複数の点状領域から構成される透光部および当該透光部に比して光の透過量が小さい遮光部を有する被覆部材と、
を備え、
前記光源の光軸方向に沿う平面視で、前記被覆部材の透光部は、前記光源から離れるにつれて大きくなるように形成されていることを特徴とする遊技機。
【発明の詳細な説明】
【技術分野】
【０００１】
本発明は、遊技機に関する。
【背景技術】
【０００２】
下記特許文献１には、光源が設けられた装飾用の部材について、光源が設けられた部分が他の部分に比して明るくなってしまうこと（以下、「点光」と称することもある）を抑制する技術が開示されている。
【先行技術文献】
【特許文献】
【０００３】
【特許文献１】特開２０１０−１４２２７６号公報
【発明の概要】
【発明が解決しようとする課題】
【０００４】
上記特許文献１に記載されるように、点光を抑制する（光の均一性を高める）手法の一例としては、光を拡散させる部材を設けることが考えられるが、所望の装飾態様を実現することができない、コストが嵩むといった観点から採用することができないことがある。
【０００５】
本発明は、光源を備えた遊技機において、当該光源から出射された光の均一性を高めることを目的とする。
【課題を解決するための手段】
【０００６】
上記課題を解決するためになされた本発明にかかる遊技機は、光源と、前記光源の光軸方向前側に設けられた部材であって、複数の点状領域から構成される透光部および当該透光部に比して光の透過量が小さい遮光部を有する被覆部材と、を備え、前記光源の光軸方向に沿う平面視で、前記被覆部材の透光部は、前記光源から離れるにつれて大きくなるように形成されていることを特徴とする。
【発明の効果】
【０００７】
本発明にかかる遊技機によれば、遊技者視点での光の均一性を高めることが可能である。
【図面の簡単な説明】
【０００８】
【図１】本実施形態にかかる遊技機の正面図である。
【図２】（ａ）は装飾ユニットを拡大して示した図、（ｂ）は（ａ）に示したＡ−Ａ線断面を模式的に示した図である。
【図３】（ａ）は光源が実装された支持基板の平面図、（ｂ−１）は被覆部材の平面図、（ｂ−２）は点状領域を説明するための図である。
【図４】第二具体例を説明するための図である。
【図５】第三具体例を説明するための図である。
【図６】第五具体例を説明するための図である。
【発明を実施するための形態】
【０００９】
以下、本発明にかかる遊技機１の一実施形態について図面を参照して詳細に説明する。まず、図１を参照して遊技機１の全体構成について簡単に説明する。
【００１０】
遊技機１は遊技盤９０を備える。遊技盤９０は、ほぼ正方形の合板により成形されており、発射装置９０８（発射ハンドル）の操作によって発射された遊技球を遊技領域９０２に案内する通路を構成するガイドレール９０３が略円弧形状となるように設けられている。
【００１１】
遊技領域９０２には、表示装置９１、始動入賞口９０４、大入賞口９０６、アウト口などが設けられている。かかる表示装置９１の表示領域９１１は、遊技盤９０に形成された開口９０１を通じて視認可能となる領域である。なお、一部の図においては、表示領域９１１を大まかに記載するが、その形状等は適宜変更可能である（開口９０１の形状や大きさ、表示装置９１自体の形状や大きさを変更することで表示領域９１１の形状等を変更することができる）。
【００１２】
また、遊技領域９０２には、流下する遊技球が衝突することにより遊技球の流下態様に変化を与える障害物としての遊技釘が複数設けられている。遊技領域９０２を流下する遊技球は、遊技釘に衝突したときの条件に応じて様々な態様に変化する。
【００１３】
このような遊技機１では、発射装置９０８を操作することにより遊技領域９０２に向けて遊技球を発射する。遊技領域９０２を流下する遊技球が、始動入賞口９０４や大入賞口９０６等の入賞口に入賞すると、所定の数の賞球が払出装置により払い出される。
【００１４】
大当たりの抽選は、図示されない制御基板に設けられた当否判定手段が始動入賞口９０４への遊技球の入賞を契機として実行する（このような始動入賞口は複数設けられていてもよい）。具体的には、始動入賞口９０４への遊技球の入賞を契機として乱数源から数値（以下、当否判定情報と称することもある）が取得され、当該数値が予め定められた大当たりの数値と同じである場合には大当たりとなり、異なる場合にははずれとなる。
【００１５】
本実施形態では、公知の遊技機と同様に、表示装置９１の表示領域９１１に表示される装飾図柄５０（図１等参照）の組み合わせによって当否判定結果を遊技者に報知する。装飾図柄５０は、当否判定結果の報知の開始とともに変動を開始する。大当たりに当選している場合には装飾図柄５０は最終的に所定の組み合わせ（例えば、同じ装飾図柄５０の三つ揃い）で停止する。はずれである場合には装飾図柄５０は最終的にそれ以外（大当たりとなる組み合わせ以外）の組み合わせで停止する。
【００１６】
なお、遊技機１の枠体、遊技球を貯留する下皿や上皿など、本発明に関係のない遊技機１の構成要素は説明を省略する。これらについては公知の遊技機と同様の構造のものが適用できる。
【００１７】
以下、本実施形態にかかる遊技機１が備える装飾ユニット１０について詳細に説明する。装飾ユニット１０は、所定の演出効果を発現するものである。当該演出効果はどのようなものであってもよい。本実施形態では、大当たりに当選したときに実行される大当たり遊技は、遊技領域の右側に設けられた大入賞口を狙って遊技球を発射させる。具体的には、遊技領域の右側に繋がる遊技球通路９２（図１参照）を遊技球が通過するようにいわゆる「右打ち遊技」を行う。当該右打ち遊技を行うべきであることを示す際に装飾ユニット１０が駆動する（後述する光源２０がＯＮとなる）ことになる。ただし、これはあくまで一例であって、光源２０を利用した演出効果を発現させるものについて、以下で説明する技術思想を適用することが可能である。
【００１８】
装飾ユニット１０（図２参照）は、光源２０および被覆部材３０を備える。本実施形態における光源２０はＬＥＤであり、当該光源２０を制御する回路の少なくとも一部が構築された基板（以下、制御基板２１と称する）に実装されている。光源２０は、遊技者側（前方）に向かって光を出射させる発光部を備える。つまり、光源２０の光軸は前後方向に沿う。当該制御基板２１における所定の領域（以下、特定領域２１１と称する）に光源２０が実装されている。特定領域２１１は、制御基板２１の表面（遊技者側の面、すなわち前面）よりも前側に突出するように固定された部材（以下、壁部２２と称する）により囲まれた領域である（図２（ｂ）、図３（ａ）参照）。本実施形態における壁部２２は、制御基板２１とは別体で構成された上で、当該制御基板２１に固定されたものであるが、制御基板２１自体にこのような壁部２２が形成された構成（制御基板２１の本体部分と壁部２２が一体成形された構成）としてもよい。また、壁部２２は、遮光性を有する材料で形成されている。
【００１９】
本実施形態における特定領域２１１は、遊技者視点での形状（前後方向に直交する面方向における形状）が「矢印」の形状を呈する（図１、図２参照）。具体的には、本実施形態における装飾ユニット１０は、遊技盤面右上に設けられており、当該「矢印」は下方を指すように設けられている。後述するように、光源２０を駆動することで、当該「矢印」の部分が光ることになるところ、光っている「矢印」を見た遊技者はいわゆる「右打ち」を行うべき状況であることを把握することが可能となる。
【００２０】
本実施形態では、当該特定領域２１１内（壁部２２の内側）に、三つの光源２０（以下、各光源２０を第一光源２０１、第二光源２０２、第三光源２０３と称することもある）が設けられている（図２（ｂ）、図３（ａ）参照）。なお、当該光源２０の数は、特定領域２１１の大きさや形状に合わせて適宜増減してもよい。特定領域２１１内に一の光源２０のみが設けられた構成としてもよい。また、本実施形態では、第一光源２０１〜第三光源２０３は全て同じ機能を有するものである。したがって、各光源２０から出射される光の強度等、光の態様は基本的には同じである。
【００２１】
被覆部材３０は、光源２０の光軸方向前側に設けられた部材である（図２（ｂ）参照）。つまり、被覆部材３０は、前後方向において、その一部が光源２０と重畳するように設けられている。本実施形態における被覆部材３０は薄膜状の部材（シート）である。被覆部材３０は、光透過性を有する（本実施形態では無色透明である）材料で形成された支持部材４０に貼付されている。具体的には、支持部材４０は、前後方向に直交する方向に沿う平面部を有し、当該平面部における光源２０側の平坦面（後面）に被覆部材３０が貼付されている。
【００２２】
被覆部材３０は、透光部３１および当該透光部３１以外の部分である遮光部３２を含む（図２（ｂ）、図３（ｂ）参照）。本実施形態における透光部３１は無色透明な部分（貫通孔であってもよい）である。したがって、透光部３１に到達した光は、そのまま当該透光部３１を通過して被覆部材３０の前方に至ることになる。一方、遮光部３２は、当該透光部３１よりも光の透過量が小さい部分である。完全に光を遮光する部分であってもよいし、光の一部が透過する部分であってもよい。いずれにしても、遮光部３２まで到達した光の一部は、当該遮光部３２に吸収されるか、または反射されることになるため、透光部３１に到達した光よりも被覆部材３０の前方に至るもの（光量）が小さいといえる。
【００２３】
当該透光部３１および遮光部３２の具体的態様は以下の通りである。被覆部材３０には、光源２０の光軸と交差する基準点が存在する。本実施形態では、第一光源２０１〜第三光源２０３が設けられているのであるから、このような基準点は三箇所（第一基準点３０１Ｐ〜第三基準点３０３Ｐ）存在する（図２（ｂ）、図３（ｂ）参照）。各基準点を中心とした所定の範囲は遮光部３２となっている。具体的には、各基準点を中心とした所定の大きさの円の内側の領域には、透光部３１が形成されておらず、全体が遮光部３２となっている（以下、当該領域に存在する遮光部３２を基礎遮光部３２１と称することもある）。詳細を後述するように、当該基礎遮光部３２１は、いわゆる点光を抑制するために設けられるものであって、本実施形態では第一光源２０１〜第三光源２０３から出射される光の態様が同じであるため、各基礎遮光部３２１の態様（大きさ）も同じとされる。
【００２４】
当該基礎遮光部３２１よりも外側（基準点を中心とした円の径方向外側をいう）には、透光部３１が存在する。本実施形態における透光部３１は、複数の点状領域３１１を含む（図２（ｂ）、図３（ｂ）参照）。各点状領域３１１は円形（丸）を呈する。各点状領域３１１は、その大きさを基準として複数の点状領域群に区分けされる。本実施形態では、第一点状領域群３１１ａ（最も小さい点状領域３１１が含まれる）、第二点状領域群３１１ｂ、第三点状領域群３１１ｃ（最も大きい点状領域３１１が含まれる）に区分けされる。各点状領域群を構成する複数の点状領域３１１は、大まかにみて、上記基準点を中心とする円に沿って位置するようにして、周方向等間隔に配置される。形式的に、第一点状領域群３１１ａに沿う円を第一の円Ｃ１、第二点状領域群３１１ｂに沿う円を第二の円Ｃ２、第三点状領域群３１１ｃに沿う円を第三の円Ｃ３と称するとすると、第一の円Ｃ１が最も小さく、第三の円は最も大きいことになる（図３（ｂ−２）参照）。つまり、各点状領域群は、基準点を中心とする円の径方向（以下、単に径方向という）に向かって並ぶものであるといえる。なお、各点状領域群を構成する複数の点状領域３１１同士の周方向における間隔（角度）は、点状領域群毎に異なっていてもよい。
【００２５】
ある基準点を中心とした第三点状領域群３１１ｃを構成する複数の点状領域３１１の一部は、別の基準点を中心とした第三点状領域群３１１ｃを構成する複数の点状領域３１１の一部でもある構成としてもよい。つまり、ある基準点とそれとは別の基準点の略中間に位置する点状領域３１１は、両基準点から最も離れた点状領域３１１であるといえ、最も大きいものであるため、一方の基準点の第三点状領域群３１１ｃを構成する点状領域３１１と、他方の基準点の第三点状領域群３１１ｃを構成する点状領域３１１とを「兼ねる」構成としてもよい。本実施形態では、第一基準点３０１Ｐを中心とした第三点状領域群３１１ｃに含まれる一部の点状領域３１１（図３（ｂ）においてＸで示したもの）は、第二基準点３０２Ｐを中心とした第三点状領域群３１１ｃに含まれる点状領域３１１でもある。
【００２６】
また、ある基準点を中心とすれば、第一点状領域群３１１ａ、第二点状領域群３１１ｂ、第三点状領域群３１１ｃの全てが存在するものの、別の基準点と中心とすれば、第一点状領域群３１１ａ、第二点状領域群３１１ｂは存在するが第三点状領域群３１１ｃは存在しない構成であってもよい。基準点が形成される位置や基準点同士の間隔によっては、基準点から離れた位置に大きな点状領域３１１を形成することができないからである。本実施形態では、第一基準点３０１Ｐと第二基準点３０２Ｐの間には第三点状領域群３１１ｃは存在するものの、第二基準点３０２Ｐと第三基準点３０３Ｐの間には第三点状領域群３１１ｃは存在しない（図３（ｂ−１）参照）。これは、第一基準点３０１Ｐと第二基準点３０２Ｐの間隔よりも、第二基準点３０２Ｐと第三基準点３０３Ｐの間隔が小さいためである。
【００２７】
なお、上述した構成はあくまで一例である。全体的にみて、各点状領域３１１が、基準点から離れるほど大きくなるようにして、放射状に形成されていればよい。また、各点状領域３１１の大きさや位置等は厳密なものではない。例えば、同じ点状領域群に含まれる点状領域３１１の大きさは、他の点状領域群に含まれる点状領域３１１よりも大きいまたは小さければよく、全ての大きさが完全に同じであることを要するものではない。また、同じ点状領域群に含まれる複数の点状領域３１１は、大まかにみて基準点を中心とする一つの円に沿って配置されていればよく、当該複数の点状領域３１１の中心が当該一つの円上に位置していることを厳格に要するものではない。例えば、後述するように、点状領域３１１同士が重なることは好ましくないため、当該重なりを防止するために、一部の点状領域３１１の大きさや位置を調整してもよい。
【００２８】
このように透光部３１および遮光部３２が形成された被覆部材３０は、前後方向において、特定領域２１１の全体に重なる。つまり、壁部２２によって形成される開口の全体を覆う（図２（ｂ）参照）。したがって、被覆部以外の部分から漏れ出る光は少ない。
【００２９】
特に、本実施形態では、被覆部材３０の後面は、壁部２２の前端面に接触している（図２（ｂ）参照）。したがって、被覆部材３０と壁部２２の間から漏れ出る光はほとんどない。光が漏れ出る隙間をなくすため、被覆部材３０と壁部２２が遮光性を有する接着剤により接合された構造とするとさらに良い。
【００３０】
また、被覆部材３０の平面形状（前後方向（光源２０の光軸方向）に沿う視点での形状）は、特定領域２１１の形状と略同じである（図３（ｂ−１）参照）。具体的には、被覆部材３０は、壁部２２の内側の端縁よりも一回り大きい形状とされている。本実施形態における特定領域２１１の形状（壁部２２の内側の形状）は「矢印」形状であるため、被覆部材３０も「矢印」形状を呈する。
【００３１】
以上説明した本実施形態にかかる遊技機１によれば、被覆部材３０の透光部３１が光源２０（基準点）から離れるにつれて大きくなるように形成されている（換言すれば、遮光部３１が大きくなっていくように変化している部分は、遮光部３２の大きさが小さくなっていくように変化する部分であるといえる）。つまり、被覆部材３０に届く光の強度が小さくなる部分ほど、透光部３１が大きくなるように形成されている。したがって、被覆部材３０を通過する光の均一性（遊技者視点での光の均一性）を高めることが可能となる。
【００３２】
また、被覆部材３０における光源２０の発光部に対向する部分、具体的には、光源２０の光軸と交差する基準点を中心とする所定の大きさの円の内側の領域は遮光部３２（基礎遮光部３２１）となっている。つまり、被覆部材３０に届く光の強度が最も大きい部分は遮光部３２となっているため、いわゆる点光を抑制することが可能である。
【００３３】
透光部３１は、複数の点状領域３１１を含むものとすることができる。そして、当該点状領域３１１を基準点からの距離に応じた大きさとする（基準点から離れるほど大きくなるようにする）ことで、被覆部材３０を通過する光の均一性（遊技者視点での光の均一性）を高めることが可能となる。
【００３４】
また、点状領域３１１同士が重なってしまうと、当該部分の形状が他の部分とは異なる形状となり、光の透過バランスが崩れてしまう。そのため、点状領域３１１同士が重ならないようにすることが好ましい。本実施形態のように点状領域３１１を円形とすることで、点状領域３１１同士が重ならないように配置することが容易になる。なお、点状領域３１１同士が重ならないようにするために、各点状領域３１１の大きさや位置を適宜調整してもよい。
【００３５】
また、本実施形態における被覆部材３０は、特定領域２１１と略同じ形状である「矢印」形状を呈する。被覆部材３０は、光源２０から出射された光により照らされる部材であるともいえるため、光源２０を駆動することで当該被覆部材３０自体が光っているかのようにみせる演出を実行することが可能となる。本実施形態に則していえば、遊技者に対して光る「矢印」を明瞭に示すことができるため、遊技者が右打ちすべき状況にあることを容易に把握することが可能となる。
【００３６】
以下、上記実施形態にかかる遊技機１を改良、変形、具体化等した具体例について説明する。なお、以下の各具体例を用いて説明する事項を複数適用した構成としてもよい。
【００３７】
○第一具体例
上記実施形態における被覆部材３０には、透光部３１を構成する「円形」の点状領域３１１が形成されていることを説明したが、点状領域３１１の形状は円形に限られるものではない。ただし、円形であると、点状領域３１１同士が重ならないように配置することが容易である、被覆部材３０を通過する光（主に透光部３１を通過する光）のバランスが取れ、当該通過する光の均一性が高まる、といった種々の利点がある。
【００３８】
○第二具体例
上記実施形態における被覆部材３０に形成された点状領域３１１は、基準点（光源２０）から離れるにつれてその大きさが大きくなるものであることを説明したが、基準点から所定の範囲においてはこのような構成となっているものの、当該範囲の外側においては点状領域３１１の大きさが維持される（略同じとなる）構成としてもよい。つまり、基準点から外側に向かう方向でみれば、途中までは点状領域３１１が基準点から離れるに従い大きくなっていくものの、途中からはその大きさが維持されるような構成とする（図４参照）。ある程度基準点（光源２０）から離れれば、被覆部材３０に届く光の強度が弱まるため、点状領域３１１の大きさを一定としても、光の均一性に与える影響は小さい。つまり、被覆部材３０に届く光の強度が高い基準点に近い領域においては、点状領域３１１の大きさが変化するようにすることで光の均一性を担保しつつ、それよりも外側の領域においては、点状領域３１１の大きさをむやみに大きくしないようにする。
【００３９】
○第三具体例
上記実施形態では、点状領域３１１の大きさにより、基準点（光源２０）から離れるにつれて透光部３１の大きさが大きくなっていくようにしたものであることを説明したが、このような構成を実現するための手法は、点状領域３１１を用いたものに限られない。例えば、透光部３１を構成する部分として、基準点から外側に向かって放射状に延びる部分（以下、放射状領域３１２と称する）が、基準点を中心とする円に沿う方向において等間隔に並ぶよう複数形成された構成（図５（ａ）参照）とすることが考えられる。各放射状領域３１２は、基準点から離れるに従いその幅（周方向における長さ）が大きくなるように形成される。
【００４０】
また、それとは異なる例としては、透光部３１を構成する部分として、基準点を中心とした環状の部分（以下、環状領域３１３と称する）が、径方向に複数並ぶ構成とする（図５（ｂ）参照）。各環状領域３１３は、基準点から離れたものほど、その幅（径方向における長さ）が大きくなるように形成される。
【００４１】
このような構成とすることによっても、被覆部材３０の透光部３１が、光源２０（基準点）から離れるにつれて大きくなるようにすることができる。つまり、被覆部材３０に届く光の強度が小さくなる部分ほど、透光部３１（放射状領域３１２や環状領域３１３）が大きくなることになるため、被覆部材３０を通過する光の均一性（遊技者視点での光の均一性）を高めることが可能となる。
【００４２】
○第四具体例
被覆部材３０（厳密にいえば遮光部３２）の表面の少なくとも一部の色が、光源２０の発光色と同じである構成とする。特に、被覆部材３０の前面の色が発光色と同じであるとよい。例えば、発光色が白である光源２０を用いているのであれば、被覆部材３０の表面の色を白色とする。このようにすれば、被覆部材３０により、光源２０の発光が強調されることになる。なお、ここでいう「色が同じ」であるとは、完全一致（色のコード等が一致）を要するという意味ではない。白系統、青系統、赤系統等、色の系統が同じであるという意味である。つまり、被覆部材３０の色が発光色を強調するように作用する関係にあればよい。
【００４３】
光源２０は、複数の発光色を有するもの（カラーＬＥＤ）であってもよいし、一つの発光色を有するもの（単色ＬＥＤ）であってもよい。複数の発光色を有するものであれば、その少なくとも一つの発光色と、被覆部材３０の表面の少なくとも一部の色を同じにする。複数の発光色のうち、最も発光させる頻度の高い発光色に対応する色と、被覆部材３０の表面の少なくとも一部の色を同じにするとよい。例えば、Ａ色、Ｂ色、Ｃ色に発光することが可能な光源２０であって、Ｃ色に発光する頻度が最も高いのであれば、被覆部材３０の表面の少なくとも一部の色をＣ色にする。一つの発光色を有する光源２０とするのであれば、そのまま被覆部材３０の表面の少なくとも一部の色を当該発光色と同じにすればよい。
【００４４】
○第五具体例
被覆部材３０が固定される支持部材４０に拡散部４１を設けた構成とする（図６参照）。上述したように、被覆部材３０は、支持部材４０の後面に固定される。したがって、被覆部材３０（特に透光部３１）を通過した光は、支持部材４０を通って前方に出射されることとなる。支持部材４０における被覆部材３０が重なる部分には、光を乱反射させて拡散させる拡散部４１を形成する。拡散部４１それ自体の構造は公知のものを適用することができる。このようにすることで、被覆部材３０を通過することによって均一性が高められた光は、さらに拡散部４１によって拡散されてより一層均一性が高められること（ムラが低減されること）になる。
【００４５】
○第六具体例
上記実施形態における装飾ユニット１０は、複数の光源２０を有するものであることを説明したが、一の光源２０のみを有するものであってもよい。
【００４６】
以上、本発明の実施の形態について詳細に説明したが、本発明は上記実施の形態に何ら限定されるものではなく、本発明の要旨を逸脱しない範囲で種々の改変が可能である。
【００４７】
上記実施形態にかかる遊技機１は、いわゆるぱちんこ遊技機であるが、回動式遊技機等のその他の遊技機に対しても同様の技術思想が適用可能である。
【００４８】
上記実施形態から得られる具体的手段（遊技機）を以下に列挙する。
【００４９】
・手段１
光源と、
前記光源の光軸方向前側に設けられた部材であって、透光部および当該透光部に比して光の透過量が小さい遮光部を有する被覆部材と、
を備え、
前記光源の光軸方向に沿う平面視で、前記被覆部材の透光部は、前記光源から離れるにつれて大きくなるように形成されていることを特徴とする遊技機。
上記遊技機によれば、遊技者視点での光の均一性を高めること（発光の強度のムラを抑制すること）が可能である。
【００５０】
・手段２
前記被覆部材における前記光源の発光部に対向する部分は、前記遮光部であることを特徴とする手段１に記載の遊技機。
このように、光源の発光部に対向する部分を遮光部とすることで、点光を低減することが可能である。
【００５１】
・手段３
前記透光部は、複数の点状領域を含むものであり、
前記光源の光軸方向に沿う平面視で、前記点状領域の大きさが、前記光源から離れるにつれて大きくなるように構成されていることを特徴とする手段１または手段２に記載の遊技機。
このように、透光部を点状とし、当該点状領域の大きさが光源から離れるにつれて大きくなるようにすることで、光源から近い部分ほど透光量が小さくなるため、光の均一性を高めることが可能となる。
【００５２】
・手段４
前記光源の光軸を中心とした円に沿う複数の前記点状領域を含む点状領域群が、当該円の径方向に複数形成されており、
一の前記点状領域群を構成する複数の前記点状領域の大きさは、略同じであることを特徴とする手段３に記載の遊技機。
このような構成とすれば、被覆部材（点状領域）を透過する光の均一性向上に資する。
【００５３】
・手段５
前記点状領域は円形を呈することを特徴とする手段３または手段４に記載の遊技機。
点状領域を円形とした方が、点状領域同士が重ならないようにすることが容易である。また、被覆部材（点状領域）を透過する光の均一性向上に資する。
【００５４】
・手段６
前記光源が実装された基板と、
前記基板上における前記光源が実装された領域を含む特定領域を囲むように設けられた壁部と、
を備え、
前記光源の光軸方向に沿う平面視で、前記被覆部材は、前記特定領域の全体に重なるように設けられていることを特徴とする手段１から手段５のいずれかに記載の遊技機。
上記のような壁部を設けることで、光源から出射された光は主に被覆部材を透過することになる（被覆部材が設けられた箇所以外から漏れる光を低減することができる）ため、光の均一性がさらに向上する。
【００５５】
・手段７
前記被覆部材は、前記壁部の端面に接触していることを特徴とする手段６に記載の遊技機。
このような構成とすることで、被覆部材が設けられた箇所以外から漏れる光をさらに低減することが可能である。
【００５６】
・手段８
前記光源の光軸方向に沿う平面視での前記被覆部材の形状は、前記特定領域の形状と略同じであることを特徴とする手段６または手段７に記載の遊技機。
このような構成とすることで、被覆部材を任意の形状として、当該被覆部材自体が光っているかのようにみせる演出を実行することが可能となる。
【００５７】
・手段９
前記被覆部材の少なくとも一部の色は、前記光源が発光可能な発光色のうちのいずれかと同じであることを特徴とする手段１から手段８のいずれかに記載の遊技機。
・手段１０
前記光源が発光可能な唯一の発光色は、前記被覆部材の少なくとも一部の色と同じであることを特徴とする手段９に記載の遊技機。
このような構成とすることで、光源から出射された光が、被覆部材により強調される。
【符号の説明】
【００５８】
１  遊技機
１０  装飾ユニット
２０  光源
２０１〜２０３  第一光源〜第三光源
２１  制御基板
２１１  特定領域
２２  壁部
３０  被覆部材
３０Ｐ  基準点
３０１Ｐ〜３０３Ｐ  第一基準点〜第三基準点
３１  透光部
３１１  点状領域
３１２  線状領域
３１３  環状領域
３２  遮光部
３２１  基礎遮光部
４０  支持部材
９１１  表示領域
９１１  表示領域
【図１】
2019058472.tif 000003
【図２】
2019058472.tif 000004
【図３】
2019058472.tif 000005
【図４】
2019058472.tif 000006
【図５】
2019058472.tif 000007
【図６】
2019058472.tif 000008